(57)【要約】【課題】比較的単純な構成で確実にインフルエンザ感染を抑制できる感染防止ブースを提供する。【解決手段】本発明は、出入り口を有するクリーンブースを建物内に形成するための包囲体と、該包囲体に設けられた排気口と、前記クリーンブースの室内に、フィルタを経て浄化された空気流であって前記排気口へ向けてほぼ水平方向に流れる空気流を供給するための送風口を有する送風器と、前記クリーンブース室内の湿度を約５０％ＲＨ以上に保持する湿度調整器とを含む。前記クリーンブース室内の患者のための定位置から飛散するインフルエンザウイルスを含む霧状の粒子は、前記クリーンブース室内に約３秒を超える滞在時間後に、前記排気口から前記クリーンブース室外に排出される。【選択図】図１０
2010017225.tif 000002
【特許請求の範囲】
【請求項１】
出入り口を有するクリーンブースを建物内に形成するための包囲体と、該包囲体に設けられた排気口と、前記クリーンブースの室内に、フィルタを経て浄化された空気流であって前記排気口へ向けてほぼ水平方向に流れる空気流を供給するための送風口を有する送風器と、前記クリーンブース室内の湿度を約５０％ＲＨ以上に保持する湿度調整器とを含み、前記クリーンブース室内の患者のための定位置から飛散するインフルエンザウイルスを含む霧状の粒子が前記クリーンブース室内に約３秒を超える滞在時間後に前記排気口から前記クリーンブース室外に排出されることを特徴とするウイルス感染防止クリーンブース。
【請求項２】
前記送風器からの空気流の速さをNｍ／秒とすると、前記定位置から前記排気口までの水平距離がNｍ／秒×３秒を超える値に設定されている、請求項１に記載のウイルス感染防止クリーンブース。
【請求項３】
前記クリーンブース室内における前記送風口から前記排気口に向けての空気流路中に前記定位置が設定されている、請求項１に記載のウイルス感染防止クリーンブース。
【請求項４】
前記包囲体は、前記出入り口が設けられた周壁部と、天井部とを有し、前記建物の床上に空間を区画するためのフードから成る、請求項１に記載のウイルス感染防止クリーンブース。
【請求項５】
前記送風器の前記送風口は、前記クリーンブース室内に前記床から所定の高さ領域でほぼ水平方向への前記空気流を吹き出すべく前記周壁部の所定の高さ位置に形成されている、請求項４に記載のウイルス感染防止クリーンブース。
【請求項６】
前記出入り口は、前記周壁部における前記送風口と反対側に設けられており、前記出入り口には該出入り口を開閉するためのドアが配置され、該ドアの下縁は前記床から間隔をおき、該間隔によって前記排気口が形成されている、請求項５に記載のウイルス感染防止クリーンブース。
【請求項７】
前記周壁部は、前記床上に矩形底面を区画すべく該床上から立ち上がる４つの周壁部分を備え、互いに対向する一組の前記周壁部分の一方の前記周壁部分に前記送風口が設けられ、前記一組の前記周壁部分の他方の前記周壁部分に前記排気口が設けられており、前記周壁部分の互いに対向する他の一組は、その下縁が前記床から所定の間隔をおくべく保持されている、請求項６に記載のウイルス感染防止クリーンブース。
【請求項８】
前記クリーンブース室内の天井高さは前記床から１．８ｍ以上であり、前記送風口の上端は前記クリーンブースの天井高さに達するかまたは天井から下方１０ｃｍ以内に位置し、前記送風口の下端は前記前記床から約８０ｃｍ以下に位置する、請求項７に記載のウイルス感染防止クリーンブース。
【請求項９】
前記他の一組の前記周壁部分の下縁の高さ位置は、前記送風口の前記下端の高さ位置から約１０ｃｍ高い高さ位置よりも下方に位置する、請求項８に記載のウイルス感染防止クリーンブース。
【請求項１０】
前記クリーンブース室内には、前記定位置を規定する患者用の椅子と、医師用の椅子とが配置され、該医師用の椅子は前記患者用の椅子よりも前記空気流の上流側に配置されている、請求項３に記載のウイルス感染防止クリーンブース。
【請求項１１】
前記周壁部分または前記床に少なくとも前記患者用の椅子を配置するための着座位置が表示されており、該着座位置は、該着座位置から前記排気口までの水平距離が前記送風口から前記排気口への空気流の平均風速（毎秒）と３秒との積を超える値となるように設定されている、請求項１０に記載のウイルス感染防止クリーンブース。
【請求項１２】
前記クリーンブースの天井には、前記患者の着座位置と前記医師の着座位置との間で前記空気流の一部に下方へ向けての偏向を与える偏向手段が設けられている、請求項１０に記載のウイルス感染防止クリーンブース。
【請求項１３】
前記偏向手段は、前記天井から垂れ下がる垂れ壁であり、該垂れ壁の下端は前記クリーンブースの天井面から２０ｃｍ以下でありかつ前記クリーンブースの床面から１５０ｃｍ以上の高さ位置にある、請求項１２に記載のウイルス感染防止ブース。
【請求項１４】
前記フィルタは、直径が０．３μｍの浮遊粒子を９９％以上捕集可能の性能を有する請求項１に記載のクリーンブース。
【請求項１５】
前記送風口は前記建物室内の天井に設けられた給気口にダクトを経て接続され、該給気口を経て湿度調整された前記空気の供給を受ける、請求項１に記載のクリーンブース。
【請求項１６】
前記湿度は、約７０％ＲＨ以下である、請求項１に記載のクリーンブース。
【請求項１７】
前記クリーンブース内の温度は、１５℃から３０℃の温度範囲に保持されている、請求項１に記載のクリーンブース。
【発明の詳細な説明】
【技術分野】
【０００１】
本発明は、医療機関、介護福祉施設、歯科診療施設等で、細菌やウイルスなどの病原体の感染防止を目的として、病原体保持者を収容あるいは医療従事者が診察するために設置される感染防止ブースに関し、特に、インフルエンザに感染した患者を収容または診察するのに適した感染防止ブースに関する。
【背景技術】
【０００２】
保菌患者を収容する無菌治療室ユニットとして、室内に、内側および外側の二重構造ユニットを設置し、保菌者のためのベッドを収容する空間を前記内側ユニットで形成し、前記空間に高性能フィルタを経て清浄化された空気を送ると共に、前記空間内の空気が前記内側ユニットおよび外側ユニット間の負圧領域を経て高性能フィルタに導かれ、該フィルタを通して無菌治療室ユニットが設定された前記室内から排気される（例えば、特許文献１参照）。
【０００３】
このような無菌治療室ユニットによれば、保菌者を収容する前記空間が内側および外側の両ユニット間で形成される負圧領域で覆われていることから、前記空間に収容された患者からの病原菌は、前記治療室ユニットが配置された前記室内に漏れ出ることを確実に防止できる。したがって、このような無菌治療室ユニットをインフルエンザ感染防止ブースとして利用し、該ブース内でインフルエンザ患者と思われる患者の診察を行うことにより、施設内へのインフルエンザの感染を確実に防止できる。
【０００４】
しかしながら、前記したような治療室ユニットは二重ユニット構造を必要とし、構造が複雑となる。
【０００５】
【特許文献１】特開平９−２２２２４７号公報
【発明の開示】
【発明が解決しようとする課題】
【０００６】
そこで、本発明の目的は、比較的単純な構成で確実にインフルエンザ感染を抑制できる感染防止ブースを提供することにある。
【課題を解決するための手段】
【０００７】
本発明の構成に先立って、本発明の基本原理を説明する。インフルエンザウイルスの感染防止には、マスクの装着、特に、米国労働安全衛生研究所（NIOSH）のN−９５規格（０．３μｍ以上の試験粒子を９５％以上捕集可能）を満たすマスクの装着が有効とされている。しかし、これらのマスクのフィルタの濾材による粒子捕集性能は、濾材を構成する繊維の径に依存するものの、繊維径の如何に拘わらず、概ね０．１μｍ以上から０．４μｍ未満の粒子については充分な捕集性能を発揮することができないことが知られている。
【０００８】
図１は、ウイリアム  Ｃ．ハインズ著、早川一也監訳による「エアロゾロテクノロジー」、井上書院、１９８５年のｐ１７８に掲載されたフィルタ特性のグラフである。前記グラフでは、フィルタに用いられる繊維の直径（μｍ）をパラメータとして、フィルタによる捕集物の粒径（μｍ）と、フィルタ効率（％）との関係を示すグラフであり、それぞれが横軸（μｍ）および縦軸（％）で示されている。特性線１、２および３は、フィルタの繊維の直径ｄｆがそれぞれ０．５μｍ、２μｍおよび１０μｍの場合の特性を示す。なお、フィルタの充填率は０．０５、面速度１０cm／ｓ、各フィルタのフィルタ厚は、所定の等しい圧力降下を示す値に設定された。このグラフからも、粒径が約０．１〜０．４μｍの範囲の粒子に対する捕集性能の著しい低下が見て取れる。
【０００９】
インフルエンザウイルスは、ほぼ０．１μｍの大きさである。そのため、前記したマスクのフィルタを構成する濾材は、このウイルスの放出源となる患者のくしゃみや咳等で患者から放出されるインフルエンザウイルスを含む０．１μｍ以上から０．４μｍ未満のエアロゾル粒子すなわち霧状の粒子に対しては、充分なマスク効果を発揮しえないことが知られている。
【００１０】
また、Haper G. Jによる「Airborne micro-organisms survival test with four viruses」、J. Hyg. Camb.（１９６１）５９、４７９〜４８９頁では、高温多湿の夏季にインフルエンザが流行しないことが報告されている。
【００１１】
本願発明者等によれば、さらに、５０％ＲＨを超える相対湿度下では、活性インフルエンザウイルスを含む前記エアロゾル粒子の粒径分布は、極めて短時間で、粒子径が小さいほどその分布割合が低下することが判明した。
【００１２】
本発明は、前記したインフルエンザウイルスに対するマスクの特性、インフルエンザウイルスの相対湿度に関するインフルエンザウイルスの従来の知見に加えて、この活性インフルエンザウイルスを含む粒子径分布についての前記した新たな知見を利用して、マスクを透過し易い粒子径に含まれるインフルエンザウイルスのようなウイルスを外部に放出することのない簡易的なクリーンブースを提供する。
【００１３】
より具体的には、空気中に浮遊するインフルエンザウイルスのうち、相対湿度５０％以上の環境下では、マスクに捕獲されるに十分な大きさの粒子径である約０．４μｍ以上の粒子径を有するエアロゾル粒子に含まれるインフルエンザウイルスの活性が失なわれることはない。しかしマスクを透過する粒径が０．１〜０．４μｍのエアロゾル粒子に含まれるインフルエンザウイルスは、相対湿度５０％以上の環境下では、約３秒を経過すると、その活性を失う。このことから、例えばN−９５規格を満たすマスクで確実に除去し得ない微粒子に含まれるインフルエンザウイルスの感染価は、前記した状況下で著しく低減する。本発明はこの原理を利用する。
【００１４】
すなわち、本発明に係るウイルス感染防止クリーンブースは、出入り口を有するクリーンブースを建物内に形成するための包囲体と、該包囲体に設けられた排気口と、前記クリーンブースの室内に、フィルタを経て浄化された空気流であって前記排気口へ向けてほぼ水平方向に流れる空気流を供給するための送風口を有する送風器と、前記クリーンブース室内の湿度を約５０％ＲＨ以上に保持する湿度調整器とを含み、前記クリーンブース室内の患者のための定位置から飛散するインフルエンザウイルスを含む霧状の粒子が前記クリーンブース室内に約３秒を超える滞在時間後に前記排気口から前記クリーンブース室外に排出されることを特徴とする。
【００１５】
本発明に係る前記クリーンブースによれば、該クリーンブース内の前記定位置に在る患者の口から、例えば咳あるいはくしゃみと共に、インフルエンザウイルスを含むエアロゾル粒子が放出されると、この粒子は、約５０％ＲＨ以上の湿度を保持された前記クリーンブース内に約３秒を超えて滞在した後、前記排気口からクリーンブース外に放出される。このクリーンブース内に放出されたインフルエンザウイルスを含むエアロゾル粒子の内、マスクに捕獲される約０．４μｍ以上の粒子径を有するエアロゾル粒子に含まれるインフルエンザウイルスの活性が失なわれることはないが、少なくとも０．１μｍ以上０．４μｍ未満のエアロゾル粒子に含まれるインフルエンザウイルスは、前記クリーンブース内で活性を失う。そのため、このクリーンブースの前記排気口から放出されかつマスクで捕獲し得ないエアロゾル粒子に含まれるインフルエンザウイルスについての感染価が著しく低減する。
【００１６】
このことから、クリーンブース外の環境下では、マスクを装着しさえすれば、クリーンブースの排出口から排出されたエアロゾル粒子に含まれるインフルエンザウイルスによる感染を効果的に防止することができる。
【００１７】
したがって、本発明によれば、２重構造ユニット体を採用することなく、比較的単純な構成の包囲体でクリーンブースを構成することができる。
【００１８】
前記送風器からの空気流の速さをNｍ／秒とすると、前記定位置から前記排気口までの水平距離がNｍ／秒×３秒を超える値に設定することができる。
【００１９】
前記クリーンブース室内における前記送風口から前記排気口に向けての空気流路中に前記定位置を設定することができる。
【００２０】
前記包囲体は、前記出入り口が設けられた周壁部と、天井部とを有し、前記建物の床上に空間を区画するためのフードで構成することができる。
【００２１】
前記送風器の前記送風口は、前記クリーンブース室内に前記床から所定の高さ領域でほぼ水平方向への前記空気流を吹き出すべく前記周壁部の所定の高さ位置に形成することができる。
【００２２】
前記出入り口は、前記周壁部における前記送風口と反対側に設けることができる。また、前記出入り口には該出入り口を開閉するためのドアを配置することができる。この場合、前記ドアの下縁は前記床から間隔をおくことができ、該間隔を前記排気口として使用することができる。前記ドアは、例えばビニールシートのような可撓性シート部材を用い、このシート部材の巻き上げ、巻き戻しによって前記出入り口を開閉することができる。これに代えて、すだれ式の可撓性シート部材を用いることができる。その他、ドアとして種々の形態を採用することができる。また、例えば、前記定位置と出入り口との距離および前記送風口からの送風速度の関係によっては、前記ドアを不要とし、前記出入り口を開放状態におくことができる。
【００２３】
前記周壁部は、前記床上に矩形底面を区画すべく該床上から立ち上がる４つの周壁部分を備えることができる。この場合、互いに対向する一組の前記周壁部分の一方の前記周壁部分に前記送風口を設け、前記一組の前記周壁部分の他方の前記周壁部分に前記排気口を設けることができる。前記周壁部分の互いに対向する他の一組は、その下縁が前記床から所定の間隔をおくべく保持することができる。前記他の一組の周壁部の下縁を前記床から間隔をおくように該周壁部を設置することにより、該周壁部の下縁を前記床に直接固定する必要がないので、パーティションウオールにおけると同様、前記周壁部の簡易的な設置が可能となる。前記下縁と前記床との間隔は、前記送風口からの送風に関して適正に設定することにより、後述するように、前記間隔を経るクリーンブース内外間での空気の流入、流出の影響を実質的に排除することができる。
【００２４】
前記クリーンブース室内の天井高さは、該クリーンブース内の患者あるいは医師の身長を配慮して、前記床から１．８ｍ以上とすることが好ましい。前記送風口の上端は前記クリーンブースの天井高さに達することが好ましい。また、患者が幼児である場合を考慮して、前記送風口の下端は前記床から約８０ｃｍ以下とすることが好ましい。なぜならば、前記定位置にある幼児は、くしゃみや咳を発する口の位置が大人のそれに比較して低くなる。しかしながら、前記送風口の下端を前記前記床から約８０ｃｍ以下とすることにより、幼児が発するくしゃみや咳と共に放出されるエアロゾル粒子を前記送風口からの送風によって確実に前記排出口に案内することができるからである。
【００２５】
前記他の一組の前記周壁部分の下縁の高さ位置は、前記送風口の前記下端の高さ位置から約１０ｃｍ高い高さ位置よりも下方に位置させることができる。前記下縁の高さ位置から±１０ｃｍ程度の領域では、前記送風口から吹き出す空気流の作用により、前記クリーンブース外から該クリーンブース内へのわずかな空気の吸引作用が見られる。前記下縁の高さ位置から−１０ｃｍより下方の領域での清浄度はブース外の清浄度にほぼ等しい。しかしながら、前記した領域では、この吸引作用によって前記定位置にある患者がクリーンブース外の雑菌による影響を受けるほどに前記クリーンブース内の清浄度が実質的に低下することはない。また、前記クリーンブース内の前記下縁より１０ｃｍ以上低い高さ領域では、さらに清浄度が低下したとしても、前記クリーンブース内の前記定位にある患者が前記床に寝転ぶような体位を取らない限り、患者は前記下縁の高さ位置から＋１０ｃｍより上方の清浄度の高い空気流領域で呼吸を行う。そのため、前記クリーンブース内の患者は、該クリーンブース内の前記空気流の領域より１０ｃｍ以上も下方の領域の雰囲気の影響を実質的に受けることはない。
【００２６】
前記クリーンブース室内には、前記定位置を規定する患者用の椅子と、医師用の椅子とを配置することができる。前記医師用の椅子は前記患者用の椅子よりも前記空気流の上流側に配置することが望ましい。これにより、患者の咳やくしゃみ等によって患者から放出されたエアロゾルが直接医師に向かうことを防止することができる。この点で、両椅子の間隔は、９０ｃｍ以上とすることが望ましいが、治療の状態を考慮すると、約９０ｃｍとすることが好ましい。
【００２７】
前記周壁部分または前記床に、少なくとも前記患者用の椅子を配置するための着座位置を例えばペイントまたは色テープを用いて表示することができる。前記着座位置は、該着座位置から前記排気口までの水平距離が前記送風口から前記排気口への空気流の平均風速（毎秒）と３秒との積を超える値となるように設定することができる。
【００２８】
前記クリーンブースの天井に、前記患者の着座位置と前記医師の着座位置との間で前記空気流の一部に下方へ向けての偏向を与える偏向手段を設けることができる。
【００２９】
前記偏向手段は、前記天井から垂れ下がる垂れ壁で構成することができる。該垂れ壁の下端は、前記クリーンブースの天井面から２０ｃｍ以上低くかつ前記クリーンブースの床面から１５０ｃｍ以上高い高さ位置とすることが望ましい。
【００３０】
前記フィルタとして、直径が０．３μｍの浮遊粒子を９９％以上捕集可能の性能を有するフィルタを用いることができる。このようなフィルタの代表として、ＨＥＰＡフィルタ（High Efficiency Particulate Air Filter）を挙げることができる。
【００３１】
前記建物室内の天井に設けられた給気口にダクトを経て前記送風口を接続することができる。この場合、前記給気口を経て湿度調整された空気を前記クリーンブース内に供給することができる。
【００３２】
前記湿度は、約７０％ＲＨ以下とすることが望ましい。すなわち、人の快適さをも考慮すると、前記湿度は、約５０％ＲＨ〜約７０％ＲＨの範囲内に設定することが望ましい。
【００３３】
前記クリーンブース内の温度は、１５℃から３０℃、より好ましくは１５℃から２５℃の間に保持される。
【発明の効果】
【００３４】
本発明の方法によれば、前記したように、クリーンブースを２重構造ユニット体とすることなく、比較的単純な構成の包囲体で構成することができるので、マスクの装着により、確実にインフルエンザ感染を抑制できる感染防止ブースを簡易的に形成することができる。
【発明を実施するための最良の形態】
【００３５】
本発明の実施例について説明するに先立ち、浮遊インフルエンザウイルス失活のミスト粒子径依存性を求めるための実験を図２に沿って説明する。この実験は、図２に示すように、ビニル包囲体１０により形成された立方体のウイルス実験ブース１２（２０００ｍｍ×２０００ｍｍ×２０００ｍｍ）内で行われた。ビニル包囲体１０には、ウイルス実験ブース１２内への出入りを許すための開閉チャック１４が設けられている。
【００３６】
国立感染症研究所のガイドラインによれば、インフルエンザウイルスの取り扱いは、陰圧が確保されるバイオセーフティ２レベルのクリーン空間で行うことが定められている。この基準を満たすために、ヘパ（ＨＥＰＡ）フィルタを装着したファン付きの空気清浄機１６を経た浄化空気がウイルス実験ブース１２内に供給され、実験ブース１２にはＨＥＰＡフィルタ１２ａが設けられた吸気管１２ｂが接続され、ＨＥＰＡフィルタ１２ｄおよび真空排気ポンプ１２ｃが設けられた排気管１２ｅが接続された。この真空排気ポンプ１２ｃ（約１０リットル／分の大気排出能力）の作動により、実験ブース１２内の陰圧が保持された。また、ウイルス実験ブース１２内には、該ブース内の温度調整および湿度調整のために、暖房または加熱手段として遠赤外線ヒータ１８が配置され、加湿手段として超音波加湿器２０が配置された。これら両手段１８および２０が、室温および湿度を所定の値に維持すべく、温湿度センサ２２の検出値に基づいて作動の制御を受けた。さらに、ウイルス実験ブース１２内に配置された撹拌ファン２４の空気撹拌作用により、ウイルス実験ブース１２内の温度および湿度が所定の均一値に保持された。ウイルス実験ブース１２内のこれら機器１６〜２４等の容積を除いた実効容積は、ほぼ７．２ｍ３であった。
【００３７】
ウイルス実験ブース１２内には、浮遊ウイルス搬送チューブ２６と、該浮遊ウイルス搬送チューブの一端に配置されるウイルス噴霧器（ネブライザ）２８と、浮遊ウイルス搬送チューブ２６の他端に接続された多段分級器３０と、該多段分級器に接続された吸引ポンプ３２とが設置された。
【００３８】
浮遊ウイルス搬送チューブ２６には、直径が１００ｍｍおよび長さが５００ｍｍの両端開放のステンレスチューブが用いられた。ウイルス噴霧器２８は、このステンレスチューブ２６の一端からインフルエンザウイルを含むウイルス液の霧（粒子径が１０μｍ以下）を他端に向けて噴霧する。吸引ポンプ３２は、多段分級器３０を通して、ウイルス噴霧器２８からのウイルス液の霧と共にウイルス実験ブース１２内の空気を吸引する。この吸引ポンプ３２は、長さが５００ｍｍの浮遊ウイルス搬送チューブ２６内の通過空気量が８０リットル／min、浮遊ウイルス搬送チューブ２６内の風速が１７ｃｍ／secとなるように動作された。しがって、浮遊ウイルス搬送チューブ２６の一端でウイルス噴霧器２８から噴霧されたウイルス液の霧は、約３秒（５００÷１７０）後に浮遊ウイルス搬送チューブ２６の他端に至り、該他端に接続された多段分級器３０に到達する。前記通過空気量、温度および湿度等は、浮遊ウイルス搬送チューブ２６の他端である出口と、多段分級器３０の入口との間で測定された。
【００３９】
ウイルス噴霧器２８として、オムロン株式会社製のコンプレッサ式ネブライザNE−Ｃ１６が用いられた。また、ウイルス噴霧器２８から噴霧されるウイルス液は、発育鶏卵奨尿液膜腔を用いてウイルスを増殖させることにより得られた液体であり、奨尿液と称される液体中にインフルエンザ（A型A／Aich／２／６８（H３N２））が存在する液体である。この液体は、約１ｗｔ％の蛋白質濃度を有する。このウイルス液に含まれるインフルエンザウイルスの濃度は、５．５×１０７〜１６×１０７PFU（Plaque forming unit）／ccであった。ウイルス噴霧器２８は、このウイルス液の霧を毎秒１μリットル（０．００１ｃｃ）の流量割合で１５秒間連続して浮遊ウイルス搬送チューブ２６内に噴霧した。
【００４０】
浮遊ウイルス搬送チューブ２６の一端でウイルス噴霧器２８から噴霧されたウイルス液の霧は、ほぼ瞬時に蒸発、乾燥して浮遊ウイルス搬送チューブ２６の他端へ向かい、前記したように、約３秒後に多段分級器３０に至り、該多段分級器で回収される。
【００４１】
多段分級器３０には、米国ＭＳＰコーポレーションの「ザ  ネクスト  ジェネレーション  ファーマシューティカル  インパクタ（The Next Generation Pharmaceutical Impactor）」が用いられた。この多段分級器３０は、アンダーセンサンプラと同様な慣性インパクタの一種である。前記インパクタから成る多段分級器３０は、内部容積が１リットルであり、８０リットル／minの空気流が多段分級器３０を通過する時間は０．０１２５秒である。分級される粒径範囲は、８０リットル／minの空気流の場合、０．０６μｍ以下、０．０６〜０．２６μｍ以下、０．２６〜０．４５μｍ以下、０．４５〜０．７８μｍ以下、０．７８〜１．４μｍ以下、１．４〜２．３μｍ以下、２．３〜３．８μｍ以下、３．８〜６．７μｍ以下、および６．７μｍを超える範囲の全９段階に分けられた。最小分級範囲である０．０６μｍ以下は、０．０６μｍよりも小さい粒子であれば、その粒子径の大小に拘わらず９８．７％以上を捕獲する性能を有するゼラチンメンブレンフィルタと称される特殊濾過材を多段分級器３０の出口に取り付けることにより、回収した。
【００４２】
図３は、ウイルス実験ブース１２内の室温を１５℃、２０℃、２５℃および３０℃のそれぞれに保持した状態で、ウイルス実験ブース１２内の前記湿度を変化させたとき多段分級器３０による活性インフルエンザウイルスの回収率との関係を示すグラフである。
【００４３】
図３のグラフの横軸は、相対湿度（％ＲＨ）を表し、その縦軸は回収率（％）を表す。回収率（％）は、ウイルス噴霧器２８から浮遊ウイルス搬送チューブ２６内に毎秒１μリットル（０．００１ｃｃ）の流量割合で１５秒間連続して噴霧された全ウイルスの感染価を１００として、多段分級器３０で回収された全ウイルスの感染価の割合を％で示す。前記グラフの特性線３４ａ、３４ｂ、３４ｃおよび３４ｄは、前記環境温度を１５℃、２０℃、２５℃および３０℃にそれぞれ保持した状態で、相対湿度（％ＲＨ）を変化させたときの回収率（％ＲＨ）の変化を示す。
【００４４】
前記グラフの例えば特性線３４ａによれば、室温が１５℃に保持されている状態では、２０％の相対湿度下では約２５％弱の回収率であり、このことは、ウイルス噴霧器２８から浮遊ウイルス搬送チューブ２６に供給された全ウイルスのうち約７５％が不活性化したことを示す。各特性線３４ａ〜３４ｄについて、特性線３４ｂを除き、それらが示す不活性化の割合は、相対湿度６０％および７０％で変化が見られる。しかしながら、実験毎の各状況のばらつきあるいは測定誤差を考慮すると、各特性線３４ａ〜３４ｄの傾向から、温度の如何に拘わらず約７０％以上のインフルエンザウイルスが不活性化されていると言える。また、相対湿度の変化に伴ってウイルスの回収率が大きく変化することはなく、相対湿度の変化に拘わらず全回収ウイルスの感染価はほぼ一定であり、回収される全ウイルス感染価すなわち全活性化ウイルスの量は、相対湿度の変化に伴って減少あるいは増大することはないと言える。
【００４５】
図４から図７に示すグラフは、前記室温を１５℃、２０℃、２５℃および３０℃にそれぞれ保持した状態で、相対湿度（％ＲＨ）を変化させたときの多段分級器３０により回収された粒子の粒子径分布を示す。
【００４６】
たとえば、図４に示す室温１５℃での粒子径分布のグラフによれば、相対湿度２０、３０および４０％ＲＨでは、０．０６μｍ以下、０．０６〜０．２６μｍ以下、および０．２６〜０．４５μｍ以下の各粒子範囲で他の粒子範囲の分布割合に比較して著しい低減は見られない。これに対し、同グラフの相対湿度５０、６０および７０％ＲＨでは、０．０６μｍ以下、０．０６〜０．２６μｍ以下、および０．２６〜０．４５μｍ以下の各粒子範囲で他の粒子範囲の分布割合に比較して著しい低減が見られる。
【００４７】
相対湿度５０％ＲＨを境とするこの傾向は、室温２０℃、２５℃および３０℃での粒径分布を示す図５〜図７の各グラフでも見られる。したがって、相対湿度５０％を超えると、０．４５μｍ未満の粒子の分布割合が激減する。また、以下に詳細に述べるように、マスクに捕獲され得る約０．４μｍ以上の粒子径を有するエアロゾル粒子に含まれるインフルエンザウイルスの活性が失なわれることはないが、マスクで捕獲し得ない０．４μｍ未満のエアロゾルに含まれるインフルエンザウイルスが不活性化される。
【００４８】
以上のことから、インフルエンザウイルスを含むエアロゾルを相対湿度５０％ＲＨを超える環境下に約３秒間滞在させることによって、マスクに捕獲される約０．４μｍ以上の粒子径を有するエアロゾル粒子に含まれるインフルエンザウイルスの活性が失なわれることはないが、マスクで捕獲し得ない０．４μｍ未満のエアロゾルに含まれるインフルエンザウイルスを不活性化できる。このことから、マスクを装着する限り、インフルエンザウイルスの感染を防止することができる。
【００４９】
３秒以上とする根拠について、生物学的ミストの乾燥に関して以下のような考察が行われた。不純物を含まない微少水滴が乾燥し切るまでの時間は、１０μｍの大きさの水滴であっても、１０℃〜３０℃、１０％ＲＨ〜８０％ＲＨの温湿度環境では、僅かに０．０６〜０．７秒に過ぎない。他方、咳やくしゃみによって生じるミストは、それらの主成分を唾液と仮定すると、唾液成分の９９．５％は水分で、その残りの０．５％がアルブミンを主成分とする蛋白質成分および塩類であると考えられる。そのため、咳やくしゃみによって生じるミストの場合、乾燥のダイナミクスが不純物を含まない微少水滴とは異なることが予想される。
【００５０】
唾液ミストと不純物を含まない水滴との乾燥の違いは、前者が蒸発による蛋白質濃度の上昇に伴い、その蒸気分圧が低下していくために、後者に比較して蒸発しづらくなることである。また不純物を含まない水は最終的に完全に蒸発するのに対して、蛋白質のような不純物を含む唾液は、その水分がたとえ蒸発しても、蒸発残渣である蛋白質の固体粒子が残ることである。
【００５１】
本願発明者らは、蛋白質溶液の濃度と周囲雰囲気の温湿度と蒸気圧との関係を実験により求めた。図８のグラフは、その実験結果を示し、横軸は蛋白質を含む蛋白質ミストの重量濃度（ｗｔ％）を示し、縦軸は蒸気分圧（相対湿度）（％ＲＨ）を示す。○は３０℃、●は２５℃、△は２０℃、▲は１５℃および□は１０℃での測定結果を示し、実線はそれらを結ぶ近似曲線である。
【００５２】
図８のグラフによれば、例えば相対湿度８０％ＲＨの空気中に噴霧された蛋白質を含むミストは、周囲の水蒸気分圧（８０％ＲＨ）に平衡する蛋白質重量濃度が３０ｗｔ％で乾燥が完了する。すなわち、蛋白質が３０ｗｔ％、水分が７０ｗｔ％となる。他方、相対湿度４０％ＲＨの空気中に噴霧された蛋白質を含むミストは、周囲の水蒸気分圧（４０％ＲＨ）に平衡する蛋白質重量濃度が９０ｗｔ％で乾燥が完了する。すなわち、蛋白質が９０ｗｔ％、水分が１０ｗｔ％となる。Haper G. Jによる前記論文にも明らかなように、浮遊インフルエンザウイルスは、水蒸気分圧が４０％ＲＨ以上、換言すれば、蛋白質の重量濃度が９０ｗｔ％以下または水分重量濃度が１０ｗｔ％以上で失活し易い特性を有する。
【００５３】
図４から７に示したグラフの意味するところは、噴霧ミストの粒子径が小さいほど、周囲の水蒸気分圧と平衡になるまでの乾燥時間が短く、３秒の浮遊時間では、０．４５μｍ以下の小粒子は確実に周囲の蒸気分圧と平衡になる蛋白質重量濃度まで乾燥しきる。周囲の蒸気分圧が４０％ＲＨ以下では、３秒の浮遊時間で水分濃度が１０ｗｔ％以下になるので感染価が維持されるが、周囲の蒸気分圧が５０％ＲＨ以上では、３秒の浮遊時間で水分濃度が２４ｗｔ％以上になるのでインフルエンザウイルスは失活する。
【００５４】
浮遊時間が３秒では、０．４５μｍを超える粒子は、まだ乾燥途中にあり、周囲蒸気分圧と平衡に達していないので、それに含まれるインフルエンザウイルスは、感染価を維持している。他方、０．４５μｍ以下の小粒子は、３秒の浮遊時間で、周囲の蒸気分圧と平衡に達するので、５０％ＲＨ以上ではそれに含まれるインフルエンザウイルスは確実に失活する。このことから、５０％ＲＨ以上の環境下での最小浮遊時間、３秒の値が決定された。
【００５５】
５０％ＲＨ以上で、０．４５μｍを超える粒子に含まれるインフルエンザウイルスを失活させるには、３秒よりも長い浮遊時間を確保することにより、周囲の蒸気分圧と平衡させることが考えられる。しかしながら、浮遊時間を３秒より長くするとブース長の増大を招く。前記したN−９５のようなマスクを着用した感染防止対策であれば、０．４５μｍを超える大きな粒子に含まれるインフルエンザウイルスの失活させることは、実用上不要となる。
【００５６】
本発明に係るクリーンブース５０は、このような知見に基づくものであり、図９に示すように、例えば、病院の病室５２の床５２ａ上に設置される。クリーンブース５０は、例えばビニルからなる全体に矩形の包囲体５４と、該包囲体により区画されるクリーンブース室内５６内の湿度センサ５６ａ（図１０参照）の検出値に基づいてクリーンブース室内５６の湿度を調整するための湿度調整器５８と、導管５８ａにより湿度調整器５８に接続され、該湿度調整器により加湿された空気を浄化してクリーンブース室内５６に供給するための送風器６０とを含む。
【００５７】
包囲体５４は、長さL、幅W及び高さHがそれぞれ２．５ｍ、１．０ｍおよび２．０ｍの枠体６２を覆って配置されたビニル製のフードから成る。包囲体５４は、基本的に、長方形の天井部５４ａと、該天井部の長辺に沿った一対の側壁部分５４ｂ、５４ｂと、天井部５４ａの短辺に沿った一対の端壁部分５４ｃ、５４ｃとを備える。図示の例では、包囲体５４の下縁は、床５２ａに接することなく、該床から所定の高さ寸法ｈ１、例えば８０ｃｍの間隔をおく。
【００５８】
一対の側壁部分５４ｂ、５４ｂおよび一対の端壁部分５４ｃ、５４ｃは、包囲体５４の周壁部を構成する。図示の例では、一方の端壁部分５４ｃは送風器６０の送風口６０ａで置き換えられており、該送風口にはフィルタ６４が装着されている。また、他方の端壁部分５４ｃは、ドア（５４ｃ）として用いられており、該ドア５４ｃは、クリーンブース５０の出入り口５０ａを開閉する。
【００５９】
送風口６０ａは、図９に示したように、包囲体５４の端壁部分５４ｃの幅W寸法に一致した幅寸法を有し、また、図１０に示されているように、送風口６０ａの上端は天井部５４ａすなわち天井に達する矩形平面形状を備える。送風口６０ａの下端は、図示の例では、前記したように床５２ａから８０ｃｍの高さに設定されている。
【００６０】
フィルタ６４は、送風口６０ａを覆って配置される矩形平面形状を有し、したがって、その下端は、床５２ａから８０ｃｍの高さに位置する。フィルタ６４は、例えば前記したHEPAフィルタのような粒子除去フィルタからなる。
【００６１】
送風器６０は、その作動により、クリーンブース５０が設置された病室５２内の空気を取り込み、この空気の湿度を湿度調整器５８によって調整し、さらに必要に応じて送風器６０に組み込まれた図示しない温度調整器によってその温度を調整する。これにより、送風器６０は、フィルタ６４を通して、この調整された空気をクリーンブース室内５６内に浄化空気として供給する。
【００６２】
フィルタ６４は、一方の端壁部分５４ｃの領域を覆うように設置されている。したがって、送風器６０の作動により、フィルタ６４からは、図１０に示すように天井部５４ａから側壁部５４ｂの下縁に至る高さの領域で、ドア５４ｃへ向けて水平方向へのほぼ均一な浄化空気流が噴出される。この浄化空気流は、クリーンブース室内５６の幅寸法のほぼ全域にわたってほぼ均等に作用する。
【００６３】
前記浄化空気流が向かうドア５４ｃの下縁は、出入り口５０ａを閉鎖する状態で床５２ａから高さ寸法ｈ１の間隔をおき、この間隔によって排気口６６が形成されている。したがって、フィルタ６４からドア５４ｃへ向けて噴出された浄化空気流は、ドア５４ｃの閉鎖状態では、該ドアの下方に位置する排気口６６から病室５２内に排気される。
【００６４】
クリーンブース室内５６を診察エリアとして使用するために、図１０に示されているように、クリーンブース室内５６には、患者６８のための椅子６８ａと医師７０のための椅子７０ａが、前記浄化空気流の流れの方向へ互い間隔を置いて配置されている。
【００６５】
患者用の椅子６８ａは、医師用の椅子７０ａに比較して、前記浄化空気流の下流側に配置され、両椅子６８ａ、７０ａは、患者６８および医師７０が対面可能なように、向き合って配置されている。図１０に示す例では、患者用の椅子６８ａの配置位置を規定するマーク７２が床５２ａ上に形成されている。前記浄化空気流の流れの方向に沿った排気口６６からのマーク７２の水平距離ｌ１は、前記浄化空気流の平均流速をNｍ／秒とすると、Nｍ／秒×３秒以上の値に設定されている。
【００６６】
患者用の椅子６８ａは、マーク７２を目印に、該椅子に座る患者６８の口の位置を通るであろう仮想垂直線がほぼマーク７２と交差する位置に配置される。マーク７２を床５２ａに設けることに代えて、あるいは床５２ａに加えて、側壁部５４ｂに設けることができる。また、マーク７２を不要とし、椅子６８ａを前記した所定位置に着脱可能と固定することができる。
【００６７】
くしゃみによる微粒子が到達する最大距離までの飛散時間は、無風下で、０．２〜０．５秒（西村他による「くしゃみによるエアロゾル粒子と空中エアロゾル中のインフルエンザウイルスの活性の解析」、第２５回空気浄化とコンタミネーションコントロール大会予行集ｐ８１〜８３、２００７年、参照）であることを考慮すると、両椅子６８ａ、７０ａの間隔は、９０ｃｍ以上とすることが望ましい。これにより、椅子６８ａに座った患者６８の咳やくしゃみに伴う微粒子が椅子７０ａに座った医師７０に直接到達することを防止することができる。もちろん，椅子７０ａに座る医師７０は、マスクを装着することが望ましい。
【００６８】
前記したクリーンブース５０では、クリーンブース室内５６の温度が２０℃から２５℃の間の適正温度に維持され、湿度は、５０％ＲＨから快適性を大きく損なわないために約７０％ＲＨまでの間で、適正な相対湿度に維持され、ＨＥＰＡフィルタ６４を通った浄化空気流の平均流速が約３０ｃｍ／秒であった。このときのクリーンブース室内５６の清浄度は、レーザパーティクルカウンタ（リオン株式会社製KR−１２Ａ）を用いた測定によれば、クリーンブースとして使用するに充分な清浄度であるクラス１００（１ｍ３の空気中、０．１μｍ以上の大きさの粒子が１００個ほど含まれる。）が得られた。また、この場合、排気口６６からのマーク７２の水平距離ｌ１は、９０ｃｍに設定された。
【００６９】
このようなクリーンブース５０内の環境下で、椅子６８ａに座った患者６８がくしゃみや咳をし、これに伴って患者６８からインフルエンザウイルスを伴うエアロゾルがクリーンブース室内５６に放出されると、このエアロゾルは、排気口６６に向かう前記浄化空気流に乗って、排気口６６に向けて流れる。そのため、このエアロゾルが、排気口６６に至る間に包囲体５４の下縁と床５２ａとの間隙ｈ１から病室５２内に漏れ出ることはなく、確実に排気口６６へ案内され、該排気口から病室５２内に排出される。
【００７０】
そのため、患者６８から排出されたエアロゾルは、３秒を超えて５０％ＲＨ以上の高湿度下に置かれることから、前記したように、前記エアロゾルに含まれる一部のインフルエンザを不活性化される。しかも、実質的にマスクで捕獲し得ない０．４μｍ未満のエアロゾルに含まれるインフルエンザウイルスを実質的に不活性化することができるので、そのようなエアロゾルが排気口６６からクリーンブース５０外の病室５２に排出されても、該病室内の人間７４（図１１参照）へのインフルエンザウイルスの感染は、この人々７４が所定のマスクを装着する限り、確実に防止することができる。
【００７１】
また、フィルタ６４に、その粒子除去性能がＨＥＰＡのような高性能でない例えば中性能フィルタを用いることができる。このような場合、特に、送風器６０の送風口６０ａから医師用の椅子７０ａまでの水平距離をNｍ／秒×３秒以上の値に設定することが望ましい。すなわち、前記したように、浄化空気流の平均流速が約３０ｃｍ／秒である場合、椅子７０ａを送風口６０ａから９０ｃｍ以上の距離を隔てて配置することが望ましい。これにより、椅子７０ａに着座する医師７０の位置において、クリーンブース５０外からフィルタ６４を経てクリーンブース室内５６に取り入れられる空気中に含まれるインフルエンザウイルスの感染価を大幅に低減することができるので、医師７０に対する安全性が高められる。
【００７２】
図１０に仮想線７６ａで示すように、包囲体５４の下縁すなわちブース裾を送風口６０ａの下縁よりも１０ｃｍ低く設定し、あるいは仮想線７６ｂで示すように、包囲体５４の下縁であるブースの裾を送風口６０ａの下縁よりも１０ｃｍ高く設定し、それぞれの場合におけるクリーンブース室内５６の前記ブース裾７６ａ、７６ｂの近傍での清浄度を測定した。
【００７３】
前記ブース裾を送風口６０ａの下端よりも１０ｃｍ低く設定した場合、前記ブース裾を送風口６０ａの下端に一致させた場合と同様に、床５２ａから８０ｃｍ以上の前記浄化空気流領域の清浄度は、クラス１００を達成できた。しかし、床５２ａから７０−８０ｃｍの高さ領域での清浄度は、クラス１０万（１ｍ３の空気中、０．１μｍ以上の大きさの粒子が１０万個ほど含まれる。）であり、この領域では、クリーンブース室内５６への病室５２内の空気の部分的な吸込が生じていることが判明した。
【００７４】
また、前記ブース裾を送風口６０ａの下端よりも１０ｃｍ高く設定した場合、前記ブース裾に一致する床上９０ｃｍ以上の領域で、クラス１００を実現できた。しかし、前記ブース裾下１０ｃｍすなわち床５２ａ上８０ｃｍから、前記ブース裾すなわち床５２ａ上９０ｃｍの領域では、クラス１０万であった。
【００７５】
このことから、ブース裾の上下１０ｃｍの領域で、クリーンブース５０外からの空気の混合現象が見られるが、この混合領域が患者の口の高さ領域に入らない限り、前記ブース裾の高さ位置を送風口６０ａの下端位置との関係で、適宜設定することができる。もちろん、ブース裾を床５２ａに接することができるが、前記したように、ブース裾を床５２ａから間隔をおくことがクリーンブース５０の設置工事の簡素化の上で、好ましい。
【００７６】
送風器６０の送風口６０ａの上端は、これが天井に達することなく、天井部５４ａから下方１０ｃｍ以内に位置するように設定できる。これによって、クリーンブース５０内の清浄度に実質的な変化は見られなかった。
【００７７】
また、前記したところから明らかなように、出入り口５０ａを開放状態にしても、椅子６８ａに着座した患者６８からのエアロゾルは、３秒以上の時間を経過した後、クリーンブース５０外に排出される。このことから、ドア５４ｃを不要とし、出入り口５０ａを開放状態におくことができる。しかしながら、この場合、クリーンブース室内５６の湿度を５０％ＲＨ以上に保持するために、湿度調整器５８により大きな加湿能力が必要となる。したがって、湿度調整器５８に要求される能力を削減する上で、ドア５４ｃを設けることが望ましい。
【００７８】
図１１は、図１０に示したクリーンブース５０の湿度調整器５８および送風器６０に代えて、病室５２の天井プレナムチャンバ７８に設定された空調機８０を利用した例を示す。
【００７９】
空調機８０は、例えば５０ｍ３の空間容積を有する病室５２の天井８２に設けられた換気口８４から吸引した空気の温度を調整する温度調整機能を有しかつその湿度を調整する機能を有する。この温度及び湿度が調整された空気の一部は、第１の給気口８６を経て病室５２内に戻される。また温度及び湿度が調整された前記空気の残部が第２の給気口８８からダクト９０を経てフィルタ６４が設けられた送風口６０ａに供給される。
【００８０】
空調機８０は、例えば、最大風量が３０ｍ３／分であり、例えば２０℃、３０％ＲＨの空気を２２℃５０％ＲＨの空気に変換する能力を有する。この空調機８０の作動により、フィルタ６４から例えば２０℃、５０％ＲＨの浄化空気が例えば前記したと同様な約３０ｃｍ／秒の平均速度でクリーンブース室内５６に供給できる。したがって、空調機８０は、前記した湿度調整器５８および送風器６０として作用する。
【００８１】
図１２は、図１０に示したクリーンブース５０内に、天井部５４ａから患者６８と医師７０との間に垂れ下がる垂れ壁９２を設けた例を示す。垂れ壁９２が設けられていない図９の例で、図１２に示すようなレーザパーティクルカウンタ９４を用いて、医師７０の口元前方の清浄度を計測したところ、クラス１００００を示すことがあった。これは、図１３に示すように、椅子７０ａに着座した医師７０は送風口６０ａからの水平空気流を背面から受けるために、医師７０の口元前方に空気のよどみ域９６が形成され、該よどみ域に、医師７０の動きに伴って、床５２ａと包囲体５４の側壁部分５４ｂの下端との間からクリーンブース５０外の空気が巻き込まれることがあると考えられる。
【００８２】
このよどみ域９６をなくすために、図１２に示す垂れ壁９２が設けられた。この垂れ壁９２は、クリーンブース室内５６の水平空気流の一部に、医師７０の口元前方で下方へ向かう空気流を生じさせる。この垂れ壁９２の偏向作用により、レーザパーティクルカウンタ９４の計測によれば、医師７０の動きに拘わらずその口元前方の領域で常時クラス１０レベルの清浄度を維持することができた。
【００８３】
垂れ壁９２は、板部材で形成することができる。垂れ壁９２の下端は、天井部５４ａから２０ｃｍ以下および床面５２ａ上１５０ｃｍ以上の間の範囲に位置することが望ましい。これにより、医師７０の診察に伴う運動を妨げることなく、効果的によどみ域９６の発生を防止することができる。
【００８４】
垂れ壁９２は、６８と医師７０との間で、空気流の水平方向に沿って可動式とすることにより、垂れ壁９２を診察の妨げにならない位置に移動させることができる点で、より望ましい。また、垂れ壁９２に代えて、ビニールのような合成フィルムあるいは布のような垂れ幕からなる偏向手段の他、よどみ９６の発生を防止するための種々の偏向手段を設けることができる。医師または患者が誤って垂れ壁に衝突した場合の傷害または破損を防止できるように、図１２に示すように、衝突時には天井部に向かって自然に跳ね上がるようになっていることが望ましい。
【産業上の利用可能性】
【００８５】
本発明は、上記実施例に限定されず、その趣旨を逸脱しない限り、種々に変更することができる。例えば、ドア５４ｃは、巻き上げ式およびアコーデオン式等の種々の開閉扉構造とすることができる。また、包囲体５４の材質、形状及び寸法等は、前記した例に限られず、適宜選択することができる。さらに、フィルタとして、前記したＨＥＰＡフィルタの他、０．４５μｍ以上の粒子を確実に捕獲し得る種々のフィルタ濾材を装着したフィルタを用いることができる。また、浄化空気流の平均流速は、患者６８や医師７０に不快感を与えない範囲で、クリーンブース５０の大きさとの関係で種々に変更することができる。
【００８６】
さらに、前記したところでは、クリーンブース５０を診察用ブースとして利用したが、患者用の椅子６８ａに代えて図示しない患者用ベッドを配置することにより、前記クリーンブースを患者収容用ブースとして利用することができる。
【図面の簡単な説明】
【００８７】
【図１】フィルタのフィルタ径（ｄｆ）をパラメータとしたときの浮遊粒子の捕獲粒子径（μｍ）と捕獲効率（％）との関係をそれぞれ横軸および縦軸として示すグラフである。
【図２】浮遊インフルエンザウイルス失活のミスト粒子径依存性を求めるための実験装置を概略的に示す模式図である。
【図３】図２に示した実験装置を用いた実験結果を示し、環境温度をパラメータとしたときの環境相対湿度（％ＲＨ）と活性インフルエンザウイルスの回収率（％）との関係をそれぞれ横軸および縦軸として示すグラフである。
【図４】図２に示した実験装置を用いた実験結果を示し、環境温度を１５℃に保持した状態で相対湿度をパラメータとしたときの活性インフルエンザウイルスを含むミストの３秒間浮遊後の粒子径（μｍ）と、その分布率（％）との関係をそれぞれ横軸および縦軸として示すグラフである。
【図５】図２に示した実験装置を用いた実験結果を示し、環境温度を２０℃に保持した状態で相対湿度をパラメータとしたときの活性インフルエンザウイルスを含むミストの３秒間浮遊後の粒子径（μｍ）と、その分布率（％）との関係をそれぞれ横軸および縦軸として示すグラフである。
【図６】図２に示した実験装置を用いた実験結果を示し、環境温度を２５℃に保持した状態で相対湿度をパラメータとしたときの活性インフルエンザウイルスを含むミストの３秒間浮遊後の粒子径（μｍ）と、その分布率（％）との関係をそれぞれ横軸および縦軸として示すグラフである。
【図７】図２に示した実験装置を用いた実験結果を示し、環境温度を３０℃に保持した状態で相対湿度をパラメータとしたときの活性インフルエンザウイルスを含むミストの３秒間浮遊後の粒子径（μｍ）と、その分布率（％）との関係をそれぞれ横軸および縦軸として示すグラフである。
【図８】蛋白質ミスト重量濃度（ｗｔ％）と、蒸気分圧（相対湿度）（％ＲＨ）との関係をそれぞれ横軸および縦軸として示すグラフである。
【図９】本発明に係るクリーンブースを概略的に示す斜視図である。
【図１０】本発明に係るクリーンブースを模式的に示す説明図である。
【図１１】本考案に係る他のクリーンブースを示す図１０と同様な図面である。
【図１２】本発明に係るクリーンブースのさらに他の例を示す図１０と同様な図面である。
【図１３】よどみの発生を説明するための模式的な説明図である。
【符号の説明】
【００８８】
５０  クリーンブース
５２  病室
５２ａ  床
５４  包囲体
５４ａ  天井部
５４ｂ  側壁部
５４ｃ  ドア
５６  クリーンブース室内
５８  湿度調整器
６０  送風器
６４  フィルタ
６６  排気口
６８ａ  患者用の椅子
７０ａ  医師用の椅子
７２  マーク
８０  空調機
９２  偏向手段（垂れ壁）
【図１】
2010017225.tif 000003
【図２】
2010017225.tif 000004
【図３】
2010017225.tif 000005
【図４】
2010017225.tif 000006
【図５】
2010017225.tif 000007
【図６】
2010017225.tif 000008
【図７】
2010017225.tif 000009
【図８】
2010017225.tif 000010
【図９】
2010017225.tif 000011
【図１０】
2010017225.tif 000012
【図１１】
2010017225.tif 000013
【図１２】
2010017225.tif 000014
【図１３】
2010017225.tif 000015